(57)【要約】【課題】開放させた際における見栄えを向上し得るとともに、間仕切る際における間仕切パネルの操作性を向上し得る間仕切装置を提供する。【解決手段】建物内空間を区画するように間仕切る間仕切装置１であって、幅方向両側に開口部２，３を形成するように配設される壁体１０と、この壁体の一方面１０ｂに沿うように、かつ該壁体の幅方向に沿って移動自在に引き違い状に配設され、前記両側の開口部をそれぞれに開閉する二枚の間仕切パネル２０，３０と、を備え、これら二枚の間仕切パネルのそれぞれは、前記両側の開口部を開放させた開位置において前記壁体と厚さ方向で重合する構成とされている。【選択図】図１
2013108292.tif 000002
【特許請求の範囲】
【請求項１】
建物内空間を区画するように間仕切る間仕切装置であって、
幅方向両側に開口部を形成するように配設される壁体と、この壁体の一方面に沿うように、かつ該壁体の幅方向に沿って移動自在に引き違い状に配設され、前記両側の開口部をそれぞれに開閉する二枚の間仕切パネルと、を備え、これら二枚の間仕切パネルのそれぞれは、前記両側の開口部を開放させた開位置において前記壁体と厚さ方向で重合する構成とされていることを特徴とする間仕切装置。
【請求項２】
請求項１において、
前記二枚の間仕切パネルのそれぞれの閉鎖方向先側端部には、厚さ方向反壁体側に向けて開口し、両間仕切パネルが開位置において手掛操作可能となる位置に位置付けられる凹状の手掛部がそれぞれに設けられていることを特徴とする間仕切装置。
【請求項３】
請求項２において、
前記二枚の間仕切パネルは、それぞれの幅寸法が略同寸法とされており、両間仕切パネルが開位置において、前記手掛部が設けられた部位を除いて前記壁体の厚さ方向で互いに概ね重合し、かつこれら二枚の間仕切パネルのそれぞれの閉鎖方向先側端面が前記壁体の両側端面のそれぞれに幅方向において概ね一致するように位置付けられる構成とされていることを特徴とする間仕切装置。
【請求項４】
請求項１乃至３のいずれか１項において、
前記壁体の両側端部には、当該壁体の幅方向両側に向けてそれぞれに開口する収納凹所が設けられていることを特徴とする間仕切装置。
【請求項５】
請求項４において、
前記壁体の一側端部側収納凹所を開閉する一側端部側開閉扉を備えており、
前記壁体の一側端部の一方面側縁部に、前記二枚の間仕切パネルのうちの壁体側の間仕切パネルの戸当り突部を厚さ方向に沿って突出するように設け、前記一側端部側収納凹所の前記戸当り突部側の内側壁の開口縁に切欠部を設け、該切欠部が設けられた位置に、前記一側端部側開閉扉の垂直状の回動支点を概ね位置させていることを特徴とする間仕切装置。
【請求項６】
請求項５において、
前記壁体の他側端部側収納凹所を開閉する他側端部側開閉扉を備え、該他側端部側収納凹所の両内側壁の開口縁に、前記他側端部側開閉扉の両側端部の戸当状部を形成するように閉状態における該他側端部側開閉扉の両側端部をそれぞれに受け入れる切欠部をそれぞれ設け、一方の切欠部が設けられた位置に、前記他側端部側開閉扉の垂直状の回動支点を概ね位置させた構成とし、かつ、
前記壁体の一側端部側収納凹所の前記戸当り突部側の内側壁の切欠部を、前記一側端部側開閉扉の一側端部の戸当状部となるように閉状態における該一側端部側開閉扉の一側端部を受け入れる構成とする一方、該一側端部側収納凹所の反戸当り突部側の内側壁の開口縁に、前記一側端部側開閉扉の他側端部の戸当状部を形成するように閉状態における該一側端部側開閉扉の他側端部を受け入れる切欠部を設けたことを特徴とする間仕切装置。
【発明の詳細な説明】
【技術分野】
【０００１】
本発明は、建物内空間を区画するように間仕切る間仕切装置に関する。
【背景技術】
【０００２】
従来より、複数枚の間仕切パネル等を備え、これら間仕切パネルによって建物内空間を区画するように間仕切る間仕切装置が知られている。一般的には、複数枚の間仕切パネルを引き違い状に建物内空間に建て付けて、該建物内空間を間仕切る構成とされているが、このようなものでは、間仕切パネルが目立ち易くなるという問題があった。
例えば、下記特許文献１では、居住空間に立設された袖壁としての外観を呈する間仕切装置本体の内部に、複数枚の間仕切材を収納する収納部を設けた間仕切装置が提案されている。これによれば、間仕切材を間仕切装置本体の内部の収納部に収納した状態では、間仕切装置本体が目障りとならず、美観を向上させることができるものではあった。
【先行技術文献】
【特許文献】
【０００３】
【特許文献１】特開２００３−２０８７２号公報
【発明の概要】
【発明が解決しようとする課題】
【０００４】
しかしながら、上記特許文献１に記載された間仕切装置では、間仕切装置本体の内部の収納部から間仕切材を外部に引き出して間仕切りする構成とされているため、間仕切材の操作がし難く、更なる改善が望まれていた。
【０００５】
本発明は、上記実情に鑑みてなされたものであり、開放させた際における見栄えを向上し得るとともに、間仕切る際における間仕切パネルの操作性を向上し得る間仕切装置を提供することを目的としている。
【課題を解決するための手段】
【０００６】
上記目的を達成するために、本発明に係る間仕切装置は、建物内空間を区画するように間仕切る間仕切装置であって、幅方向両側に開口部を形成するように配設される壁体と、この壁体の一方面に沿うように、かつ該壁体の幅方向に沿って移動自在に引き違い状に配設され、前記両側の開口部をそれぞれに開閉する二枚の間仕切パネルと、を備え、これら二枚の間仕切パネルのそれぞれは、前記両側の開口部を開放させた開位置において前記壁体と厚さ方向で重合する構成とされていることを特徴とする。
【０００７】
本発明においては、前記二枚の間仕切パネルのそれぞれの閉鎖方向先側端部に、厚さ方向反壁体側に向けて開口し、両間仕切パネルが開位置において手掛操作可能となる位置に位置付けられる凹状の手掛部をそれぞれに設けてもよい。
また、本発明においては、前記二枚の間仕切パネルを、それぞれの幅寸法が略同寸法とされたものとし、両間仕切パネルが開位置において、前記手掛部が設けられた部位を除いて前記壁体の厚さ方向で互いに概ね重合し、かつこれら二枚の間仕切パネルのそれぞれの閉鎖方向先側端面が前記壁体の両側端面のそれぞれに幅方向において概ね一致するように位置付けられる構成としてもよい。
【０００８】
また、本発明においては、前記壁体の両側端部に、当該壁体の幅方向両側に向けてそれぞれに開口する収納凹所を設けてもよい。
また、本発明においては、前記壁体の一側端部側収納凹所を開閉する一側端部側開閉扉を備えたものとし、前記壁体の一側端部の一方面側縁部に、前記二枚の間仕切パネルのうちの壁体側の間仕切パネルの戸当り突部を厚さ方向に沿って突出するように設け、前記一側端部側収納凹所の前記戸当り突部側の内側壁の開口縁に切欠部を設け、該切欠部が設けられた位置に、前記一側端部側開閉扉の垂直状の回動支点を概ね位置させるようにしてもよい。
また、本発明においては、前記壁体の他側端部側収納凹所を開閉する他側端部側開閉扉を備えたものとし、該他側端部側収納凹所の両内側壁の開口縁に、前記他側端部側開閉扉の両側端部の戸当状部を形成するように閉状態における該他側端部側開閉扉の両側端部をそれぞれに受け入れる切欠部をそれぞれ設け、一方の切欠部が設けられた位置に、前記他側端部側開閉扉の垂直状の回動支点を概ね位置させた構成とし、かつ、前記壁体の一側端部側収納凹所の前記戸当り突部側の内側壁の切欠部を、前記一側端部側開閉扉の一側端部の戸当状部となるように閉状態における該一側端部側開閉扉の一側端部を受け入れる構成とする一方、該一側端部側収納凹所の反戸当り突部側の内側壁の開口縁に、前記一側端部側開閉扉の他側端部の戸当状部を形成するように閉状態における該一側端部側開閉扉の他側端部を受け入れる切欠部を設けてもよい。
【発明の効果】
【０００９】
本発明に係る間仕切装置は、上述のような構成としたことで、開放させた際における見栄えを向上させることができるとともに、間仕切る際における間仕切パネルの操作性を向上させることができる。
【図面の簡単な説明】
【００１０】
【図１】（ａ）、（ｂ）は、いずれも本発明の一実施形態に係る間仕切装置の一例を用いた間仕切構造の一例を模式的に示し、（ａ）は、一部破断概略正面図、（ｂ）は、（ａ）におけるＸ１−Ｘ１線矢視に対応させた一部破断概略横断面図である。
【図２】（ａ）、（ｂ）は、いずれも同間仕切装置の各間仕切パネルを閉位置とした状態を模式的に示し、（ａ）は、一部破断概略正面図、（ｂ）は、（ａ）におけるＸ２−Ｘ２線矢視に対応させた一部破断概略横断面図である。
【図３】（ａ）は、図１（ａ）におけるＹ１−Ｙ１線矢視に対応させた一部破断概略縦断面図、（ｂ）は、図１（ａ）におけるＹ２−Ｙ２線矢視に対応させた一部破断概略縦断面図である。
【図４】図１（ｂ）におけるＺ部に対応させた一部破断概略拡大横断面図である。
【発明を実施するための形態】
【００１１】
以下に本発明の実施の形態について、図面に基づいて説明する。
なお、一部の図では、他図に付している詳細な符号の一部を省略している。
また、以下の実施形態では、図１（ｂ）に示すＶ方向から見た状態を基準として、図１（ｂ）における上側を後方側、下側を前方側とし、また、間仕切装置が施工された状態を基準として、その方向等を原則的に説明する。
また、図３及び図４では、収納凹所を開閉する開閉扉を開放させた状態を図示している。
【００１２】
図１〜図４は、本実施形態に係る間仕切装置の一例を模式的に示す図である。
本実施形態に係る間仕切装置１は、図１及び図２に示すように、幅方向（図示左右方向）両側に開口部２，３を形成するように配設される壁体１０と、この壁体１０の後面（一方面）１０ｂに沿うように配設される二枚の間仕切パネル２０，３０と、を備えている。これら間仕切パネル２０，３０は、壁体１０の幅方向に沿って移動自在に引き違い状に配設され、両側の開口部２，３をそれぞれに開閉する構成とされている。
【００１３】
この間仕切装置１は、住居等の建物内に設置され、これら壁体１０及び二枚の間仕切パネル２０，３０によって該建物内空間を区画するように間仕切る構成とされている。
図例では、左右両側の内壁面４，５にそれぞれ隣接する奥側内壁面６の手前側においてこの奥側内壁面６に対して略平行となるように間仕切装置１を配設し、これら内壁面４，５，６と当該間仕切装置１とによって建物内空間に収納空間を区画形成した例を示している。また、図例では、奥側内壁面６に沿わせるようにして複数枚の側板や棚板等からなる収納ユニット９を配設した例を示している。なお、収納ユニット９としては、図例のような側板や棚板等を組み合わせた態様に限られず、上下や左右に移動可能とされた可動棚や、前後にスライドするスライド棚等を設けるようにしてもよく、また、棚板に代えて、または加えて作業机板等を設けるようにしてもよい。
【００１４】
壁体１０は、床面８から天井面７に至る高さ寸法とされており、図例では、この壁体１０を、左右両側の内壁面４，５間の略中央位置に固定的に配設した例を示している。つまり、壁体１０の両側の開口部２，３のそれぞれの幅寸法が略同一寸法となるように壁体１０を配設した例を示している。
これら両側の開口部２，３は、それぞれ略床面８から略天井面７までの高さ寸法とされており、図例では、これら各開口部２，３の上側を天井面７によって区画する一方、下側を床面８によって区画した例を示している。また、図例では、左側開口部２の左右両側を左側内壁面４及び壁体１０の左側端面１０ｃによってそれぞれ区画し、右側開口部３の左右両側を壁体１０の右側端面１０ｄ及び右側内壁面５によってそれぞれ区画した例を示している。つまり、図例では、各間仕切パネル２０，３０の戸先端部（閉鎖方向先側端部）の戸当縦枠等を設けずに、壁仕上げ面（左右両側の内壁面４，５）をそれぞれの間仕切パネル２０，３０の戸先側の戸当り部とした例を示している。
【００１５】
これら間仕切パネル２０，３０のそれぞれは、図１（ｂ）に示すように、両側の開口部２，３を開放させた開位置において壁体１０と厚さ方向で重合する構成とされている。つまり、図１（ａ）に示すように、壁体１０の手前側（他方面側）において壁体１０に対面した状態では、両間仕切パネル２０，３０の全体が壁体１０によって隠された状態となる。また、この状態では、上記収納空間と、その手前側の例えばリビング等の居室空間とが各開口部２，３を介して連通され、これら開口部２，３を介してこれら収納空間と居室空間との往来が可能となる。
【００１６】
一方、図２に示すように、二枚の間仕切パネル２０，３０のそれぞれを、各開口部２，３を閉鎖させた閉位置とすれば、両間仕切パネル２０，３０の各戸先端面（閉鎖方向先側端面）２１，３１が各内壁面４，５に当接する。また、この状態では、両間仕切パネル２０，３０の戸尻端部（閉鎖方向基端部）と壁体１０の幅方向両側の各側端部１１，１６とが壁体１０の厚さ方向で互いにそれぞれ重合し、上記収納空間と上記居室空間とが当該間仕切装置１によって概ね遮断される。この閉位置における各間仕切パネル２０，３０の戸尻端部と壁体１０の各側端部１１，１６との重ね合わせ部位の各幅寸法（左右寸法）は、各間仕切パネル２０，３０の前面と壁体１０の後面１０ｂとの間の隙間等に応じて、明かり漏れ等を防止する観点等から適宜の寸法としてもよい。
【００１７】
また、図例では、二枚の間仕切パネル２０，３０のうち壁体１０側に配設された壁体側間仕切パネル３０によって壁体１０の右側の右側開口部３を開閉する構成とした例を示している。また、この壁体側間仕切パネル３０よりも後方側（収納空間側）に配設された収納側間仕切パネル２０によって壁体１０の左側の左側開口部２を開閉する構成とした例を示している。
なお、一方の間仕切パネル２０（３０）を開位置とし、他方の間仕切パネル３０（２０）を閉位置とすることも当然に可能である。
【００１８】
これら間仕切パネル２０，３０のそれぞれの戸先端部には、後方側（厚さ方向反壁体側）に向けて開口し、両間仕切パネル２０，３０が開位置において手掛操作可能となる位置に位置付けられる凹状の手掛部２２，３２がそれぞれに設けられている（図４も参照）。本実施形態では、これら間仕切パネル２０，３０のそれぞれの戸先端部に、厚さ方向両側に向けて開口する凹状の手掛部２２，３２をそれぞれに設けている。これら手掛部２２，３２は、図４に示すように、各間仕切パネル２０，３０の戸先端部の前面及び後面に、厚さ方向にそれぞれ形成された凹部に凹状の取手部材を嵌め込むように固定した構成とされている。つまり、これら手掛部２２，３２は、各間仕切パネル２０，３０の前後の各表面から凹むような形状とされている。このような手掛部２２，３２とすることで、壁体１０と壁体側間仕切パネル３０との隙間（クリアランス）及び壁体側間仕切パネル３０と収納側間仕切パネル２０との隙間（クリアランス）を、突出するようなハンドル等を設けた場合と比べて小さくすることができる。
【００１９】
また、これら間仕切パネル２０，３０は、本実施形態では、採光窓や鏡板等を有しておらず、その前面及び後面が上記した手掛部２２，３２を除いて、概ね段差のないフラットな略平坦面とされている。
また、これら間仕切パネル２０，３０は、それぞれの幅寸法が略同寸法とされ、両間仕切パネル２０，３０が開位置において、手掛部２２，３２が設けられた部位（戸先端部）を除いて壁体１０の厚さ方向で互いに概ね重合する構成とされている。つまり、図４に示すように、それぞれの間仕切パネル２０，３０が開位置において、一方の間仕切パネル２０（３０）の手掛部２２（３２）が設けられた部位が、他方の間仕切パネル３０（２０）の戸尻端面３３（２３）よりも閉鎖方向先側に位置するように位置付けられる。
【００２０】
また、これら間仕切パネル２０，３０は、両間仕切パネル２０，３０が開位置において、それぞれの戸先端面２１，３１が壁体１０の両側端面１０ｃ，１０ｄのそれぞれに幅方向において概ね一致するように位置付けられる構成とされている。つまり、収納側間仕切パネル２０は、左側開口部２を開放させた開位置において、その戸先端面２１が壁体１０の左側端面１０ｃと概ね同一平面状となるように位置付けられる。また、壁体側間仕切パネル３０は、右側開口部３を開放させた開位置において、その戸先端面３１が壁体１０の右側端面１０ｄと概ね同一平面状となるように位置付けられる。
【００２１】
本実施形態に係る間仕切装置１は、これら間仕切パネル２０，３０が開位置において、各間仕切パネル２０，３０の反閉鎖方向側（それぞれが開閉する開口部とは異なる側の開口部側）への移動を防止するストッパー部２８，２９，１２を備えている。このストッパー部２８，２９，１２による規制により、これら間仕切パネル２０，３０が開位置において、壁体側間仕切パネル３０の後面側の手掛部３２が後方側から手掛操作可能となる位置に位置付けられる構成とされている。つまり、これら間仕切パネル２０，３０が開位置において、壁体側間仕切パネル３０の後面側の手掛部３２が露出するように、壁体側間仕切パネル３０の戸先端部と収納側間仕切パネル２０の戸尻端部とが厚さ方向で重合しないように位置付けられる。また、このストッパー部２８，２９，１２による規制により、これら間仕切パネル２０，３０が開位置において、これらの戸先端面２１，３１が壁体１０の両側端面１０ｃ，１０ｄのそれぞれに幅方向において概ね一致するように位置付けられる構成とされている。なお、ストッパー部２８，２９，１２の具体的構成については後述する。
【００２２】
また、これら間仕切パネル２０，３０は、各上端面が天井面７に近接対面し、各下端面が床面８に近接対面した状態で移動自在に支持される構造とされており、本実施形態では、上吊り構造とされている。
これら間仕切パネル２０，３０の上端部のパネル幅方向（左右方向）両側端部近傍には、図１（ａ）及び図２（ａ）に示すように、ランナー部材２４，３４がそれぞれに連結固定されている。このランナー部材２４，３４は、各間仕切パネル２０，３０の上端部に設けられたカップ部等に連結固定される連結固定部やこの連結固定部に回動自在に設けられた転動部（ローラー）等を備えている（図３参照）。
本実施形態では、これら間仕切パネル２０，３０を案内支持するそれぞれの上レール２６，３６を、図３に示すように、天井に埋め込むように設けた例を示している。これら上レール２６，３６は、上枠や天井下地等に固定される上板部と、この上板部の幅方向両側縁から垂れ下がるように連成された両側板部とを備え、これらによって下方に向けて開口する形状とされている。これら上レール２６，３６の開口内に、各間仕切パネル２０，３０のランナー部材２４，３４の転動部等が収容される。また、これら上レール２６，３６の両側板部の下端縁には、幅方向内方側に向けて突出する案内片がそれぞれに設けられており、これら案内片に、各ランナー部材２４，３４の転動部が転動自在に支持される。
【００２３】
壁体側間仕切パネル３０の上レール（壁体側上レール）３６は、図３に示すように、壁体１０の後方側に配設され、壁体１０及び右側開口部３の幅寸法に概ね応じた長さ寸法とされている（図１及び図２も参照）。
収納側間仕切パネル２０の上レール（収納側上レール）２６は、図３に示すように、壁体側間仕切パネル３０の上レール３６の後方側に並ぶように配設され、壁体１０及び左側開口部２の幅寸法に概ね応じた長さ寸法とされている（図１及び図２も参照）。また、この収納側上レール２６に、収納側間仕切パネル２０の反閉鎖方向側への移動を規制するストッパー部２８を設けている。このストッパー部２８は、収納側上レール２６の上板部天面から下方に向けて突出するように設けられた突片状のストッパー部材２８からなり、収納側上レール２６の戸尻側端部に設けられている。このストッパー部材２８に、収納側間仕切パネル２０の戸尻端部側に設けられたランナー部材２４が当接し、当該収納側間仕切パネル２０の反閉鎖方向側への移動が規制される（図３（ｂ）参照）。なお、ストッパー部材２８自体を弾性体としたり、ストッパー部材２８の収納側間仕切パネル２０（ランナー部材２４）との当接部位に、弾性体を設けたりする態様としてもよい。
【００２４】
上記のような上吊り構造で各間仕切パネル２０，３０を案内支持する構成とすることで、下レールが不要となり、床面８側の見栄えを向上させることができる。
なお、上記した各上レール２６，３６を含む上枠等を天井に埋め込むようにして固定する態様に代えて、これら上レール２６，３６を含む上枠等を天井面７に付設するようにして固定する態様としてもよい。この場合には、各開口部２，３の上側が上枠によって区画されることとなる。また、これに対応させて、各間仕切パネル２０，３０の高さ寸法を適宜寸法とすればよい。
また、上記のような突片状のストッパー部材２８を収納側上レール２６の戸先側端部にも設けるようにしてもよく、また、壁体側上レール３６の戸先側端部及び戸尻側端部にも設けるようにしてもよい。
【００２５】
また、本実施形態では、これら間仕切パネル２０，３０の下端部側をそれぞれにガイドする下ガイド部を設けている。図例では、下ガイド部として床側に配設されるガイドピン２７，３７を設け、各間仕切パネル２０，３０の下端部にガイド凹溝２５，３５を設けた例を示している。各ガイド凹溝２５，３５は、下方に向けて開口し、それぞれの間仕切パネル２０，３０のパネル幅方向に沿って形成されている（図２（ａ）も参照）。各ガイドピン２７，３７は、上方に向けて突出するように床面８上に固定的に配設される。図例では、これら間仕切パネル２０，３０の各ガイドピン２７，３７を、各間仕切パネル２０，３０の開位置における戸先端部及び閉位置における戸尻端部の下方位置となるようにそれぞれ配設した例を示している（図１（ｂ）及び図２（ｂ）参照）。つまり、これらガイドピン２７，３７の上方側に、各間仕切パネル２０，３０が常時、存在するようにこれらガイドピン２７，３７を配設した例を示している。
これらガイドピン２７，３７のそれぞれが、各間仕切パネル２０，３０のガイド凹溝２５，３５にそれぞれ挿入（遊挿）され、各間仕切パネル２０，３０の下端部側のガイドがなされる。
【００２６】
なお、各間仕切パネル２０，３０の下端部側をガイドする下ガイド部としては、上述のような床面８上に固定的に配設されるガイドピン２７，３７に限られず、磁石等を埋め込み、上下方向に出没自在とされたガイドピンを有したマグネットガイドとしてもよい。この場合は、各間仕切パネル２０，３０の移動軌跡に沿わせるようにして間隔を空けて複数箇所にマグネットガイドを床に埋め込むように配設する態様としてもよい。また、この場合は、各間仕切パネル２０，３０のガイド凹溝２５，３５等の適所に、マグネットガイドのガイドピンを吸引する磁石や鉄板等の吸着部を設けるようにすればよい。このようなマグネットガイドによれば、ガイドピンが没入するので、その上方側に各間仕切パネル２０，３０が常には存在しない位置に設けた場合にも、見栄えが良く、また、躓き等を防止することもできる。
【００２７】
また、本実施形態では、床面８上に、収納側間仕切パネル２０の反閉鎖方向側への移動を規制するストッパー部２９を設けている。このストッパー部２９は、図３（ｂ）に示すように、床面８から立ち上がるように配設されるストッパー部材２９とされている。このストッパー部材２９に、収納側間仕切パネル２０の戸尻端面２３の下端部が当接し、当該収納側間仕切パネル２０の反閉鎖方向側への移動が規制される。なお、上記したストッパー部材２８と同様、このストッパー部材２９自体を弾性体としたり、ストッパー部材２９の収納側間仕切パネル２０との当接部位に、弾性体を設けたりする態様としてもよい。また、これらストッパー部材２８，２９のうちのいずれか一方のみを設ける態様としてもよく、また、収納側間仕切パネル２０の反閉鎖方向側への移動を規制する他のストッパー部を設ける態様としてもよい。
【００２８】
壁体１０は、本実施形態では、その前面（他方面）１０ａが概ね段差のないフラットな略平坦面とされている。当該間仕切装置１を、例えば、上述のようにリビング等の居室空間と収納空間とを区画するように設けた場合には、壁体１０の前面１０ａ側に、薄型テレビ（ディスプレイ装置）等を設置したり、プロジェクタースクリーン等を沿わせるように設けたりしてもよい。
また、本実施形態では、壁体１０の一側端部（図例では左側端部）１１の後面１０ｂ側縁部に、二枚の間仕切パネル２０，３０のうちの壁体側間仕切パネル３０の戸当り突部１２を後方側に向けて（厚さ方向に沿って）突出するように設けている。この戸当り突部１２が壁体側間仕切パネル３０の反閉鎖方向側への移動を規制するストッパー部１２となる。
【００２９】
戸当り突部１２は、図３に示すように、当該壁体１０の高さ方向の全体に亘って設けられている。また、この戸当り突部１２は、図４に示すように、平面視して略矩形状の外郭形状とされ、その一側面（左側面）が当該壁体１０の左側端面１０ｃを構成するように壁体１０の後面１０ｂ側に一連に設けられている。このような戸当り突部１２を設けることで、収納側間仕切パネル２０と壁体１０との隙間を小さくすることも可能となり、当該戸当り突部１２を、壁体側間仕切パネル３０の戸尻端部の戸当り部のみならず、隙間遮蔽部として機能させることも可能となる。
この戸当り突部１２の他側面（右側面）に、壁体側間仕切パネル３０の戸尻端面３３が当接し、当該壁体側間仕切パネル３０の反閉鎖方向側への移動が規制される。なお、この戸当り突部１２自体を弾性体としたり、戸当り突部１２の壁体側間仕切パネル３０との当接部位に、弾性体を設けたりする態様としてもよい。また、図例では、戸当り突部１２の突出寸法を、壁体側間仕切パネル３０の戸尻端面３３の幅方向（パネル厚さ方向）半分程度の部位に当該戸当り突部１２が当接するような寸法とした例を示しているが、壁体側間仕切パネル３０の反閉鎖方向側への移動を規制し得る突出寸法とすればよい。
【００３０】
また、本実施形態では、壁体１０の両側端部１１，１６に、当該壁体１０の幅方向両側に向けてそれぞれに開口する収納凹所１３，１７を設けている。また、本実施形態では、これら収納凹所１３，１７を開閉する開閉扉１５，１９をそれぞれに設けている。また、本実施形態では、図３に示すように、これら収納凹所１３，１７を、当該壁体１０の高さ方向の略全体に亘って設けている。
戸当り突部１２が設けられた左側端部１１側の左側収納凹所１３は、図３（ａ）及び図４に示すように、前側内側壁（反戸当り突部側内側壁）１３ａ、後側内側壁（戸当り突部側内側壁）１３ｃ、奥側（壁体１０の幅方向中心側）内壁１３ｅ、天側内壁１３ｆ及び底側内壁１３ｇによって区画されている。また、図例では、この左側収納凹所１３に、上下方向に間隔を空けて複数枚の棚板１３ｈを設けた例を示している。
【００３１】
また、本実施形態では、左側収納凹所１３の後側内側壁１３ｃの開口縁に、切欠部１３ｄを設け、この切欠部１３ｄが設けられた位置（切欠部位）に、当該左側収納凹所１３を開閉する左側開閉扉１５の垂直状の回動支点１４ａを概ね位置させている。
切欠部１３ｄは、上記した戸当り突部１２が設けられた部位の開口縁を切り欠くようにして形成されており、壁体１０の厚さ方向中心側に向く面と幅方向外方側に向く面とを有している。つまり、戸当り突部１２は、上記した壁体側間仕切パネル３０のストッパー部としての機能と、左側開閉扉１５の回動支点１４ａが概ね位置付けられる切欠部１３ｄを形成する形成代を付与する機能とを兼ね備えている。つまりは、このような戸当り突部１２を設けていない場合には、左側収納凹所１３を区画する後側壁部の厚さ寸法を比較的に大きく（左側収納凹所１３の前後幅寸法を小さく）して切欠部１３ｄの形成代を設ける必要がある。本実施形態では、戸当り突部１２を含んでこの形成代とすることができる。
【００３２】
図例では、この切欠部１３ｄを、戸当り突部１２に至るまで設けたような例を示している。つまり、切欠部１３ｄの壁体１０の厚さ方向中心側に向く面が壁体１０の戸当り突部１２が設けられていない部位の後面１０ｂよりも後方側に位置するように切欠部１３ｄを設けた例を示している。なお、切欠部１３ｄの壁体１０の厚さ方向中心側に向く面が、壁体１０の戸当り突部１２が設けられていない部位の後面１０ｂよりも僅かに前方側に位置するように切欠部１３ｄを設けるようにしてもよく、またはこれらの面が前後方向において略一致するように切欠部１３ｄを設けるようにしてもよい。
また、本実施形態では、左側開閉扉１５の回動支点１４ａを、当該左側開閉扉１５を回動自在に連結する回動連結部材１４の回動支点１４ａとし、この回動連結部材１４を、切欠部１３ｄの壁体１０の厚さ方向中心側に向く面に固定した例を示している。
【００３３】
回動連結部材１４は、図例では、二枚の固定羽根を回動支点となるヒンジピン１４ａによって連結した蝶番（羽根蝶番）１４を例示している。図例では、この蝶番１４の一方の固定羽根を、切欠部１３ｄに固定し、他方の固定羽根を、左側開閉扉１５の吊元側端面に固定した例を示している。
また、本実施形態では、この左側開閉扉１５を、インセット状に設けた例を示している。上記した後側内側壁１３ｃの切欠部１３ｄを、この左側開閉扉１５の吊元側端部（一側端部）１５ｂの戸当状部となるように閉状態における左側開閉扉１５の吊元側端部１５ｂを受け入れる構成としている。また、左側収納凹所１３の前側内側壁１３ａの開口縁に、左側開閉扉１５の戸先側端部（他側端部）１５ａの戸当状部を形成するように閉状態における左側開閉扉１５の戸先側端部１５ａを受け入れる切欠部１３ｂを設けている。この切欠部１３ｂは、上記同様、壁体１０の厚さ方向中心側に向く面と幅方向外方側に向く面とを有している。また、これら前後の切欠部１３ｂ，１３ｄは、左側開閉扉１５の扉厚及び当該左側開閉扉１５の開閉時に必要となるクリアランスに応じた寸法とされている。
このような構成により、左側開閉扉１５が閉鎖された状態（閉状態）では、左側開閉扉１５の両側端部１５ａ，１５ｂがそれぞれ切欠部１３ｂ，１３ｄに収容されるようにして、当該左側開閉扉１５の外側表面が壁体１０の左側端面１０ｃと略同一平面状となる。
【００３４】
右側端部１６側の右側収納凹所１７は、図３（ｂ）及び図４に示すように、前側内側壁１７ａ、後側内側壁１７ｃ、奥側（壁体１０の幅方向中心側）内壁１７ｅ、天側内壁１７ｆ及び底側内壁１７ｇによって区画されている。また、上記同様、右側収納凹所１７に、上下方向に間隔を空けて複数枚の棚板１７ｈを設けた例を示している。また、本実施形態では、この右側収納凹所１７を開閉する右側開閉扉１９を、上記同様、インセット状に設けた例を示している。つまり、右側収納凹所１７の前後の内側壁１７ａ，１７ｃの開口縁に、右側開閉扉１９の両側端部１９ａ，１９ｂの戸当状部を形成するように閉状態における右側開閉扉１９の両側端部１９ａ，１９ｂをそれぞれに受け入れる上記と概ね同様の切欠部１７ｂ，１７ｄをそれぞれ設けている。当該壁体１０の右側端部１６には、上記のような戸当り突部１２を設けていないため、これら切欠部１７ｂ，１７ｄを設けるために、この右側収納凹所１７の前後の幅寸法は、上記した左側収納凹所１３の前後の幅寸法よりも小さく形成されている。
【００３５】
また、一方の切欠部（図例では、後方側縁の切欠部）１７ｄが設けられた位置（切欠部位）に、右側開閉扉１９の垂直状の回動支点１８ａを概ね位置させている。この回動支点１８ａは、上記同様、当該右側開閉扉１９を回動自在に連結する回動連結部材１８の回動支点１８ａとされ、この回動連結部材１８を切欠部１７ｄの壁体１０の厚さ方向中心側に向く面に固定した例を示している。この回動連結部材１８は、上記同様、二枚の固定羽根を回動支点となるヒンジピン１８ａによって連結した蝶番（羽根蝶番）１８を例示しており、一方の固定羽根を切欠部１７ｄに固定し、他方の固定羽根を右側開閉扉１９の吊元側端面に固定した例を示している。
また、これら前後の切欠部１７ｂ，１７ｄは、上記同様、右側開閉扉１９の扉厚及び当該右側開閉扉１９の開閉時に必要となるクリアランスに応じた寸法とされている。
このような構成により、右側開閉扉１９が閉鎖された状態（閉状態）では、上記同様、右側開閉扉１９の両側端部１９ａ，１９ｂがそれぞれ切欠部１７ｂ，１７ｄに収容されるようにして、当該右側開閉扉１９の外側表面が壁体１０の右側端面１０ｄと略同一平面状となる。
【００３６】
なお、上記した各開閉扉１５，１９に取手や手掛部等を設けるようにしてもよい。
また、図例では、各開閉扉１５，１９を開閉自在に支持する蝶番１４，１８のヒンジピン（回動支点）１４ａ，１８ａを、各切欠部１３ｄ，１７ｄの壁体１０の幅方向外方側後縁部に概ね位置するように設けた例を示しているが、これらのヒンジピン１４ａ，１８ａを、僅かに幅方向外方側位置に設けたり、またはより幅方向中心側位置に設けたりしてもよい。
さらに、上記した各開閉扉１５，１９を開閉自在に支持する回動連結部材としては、上記したような蝶番１４，１８に限られず、スライド蝶番等の他の回動連結部材を採用するようにしてもよい。この場合には、回動連結部材の態様に応じて、各切欠部を変形したり、また、固定位置等を適宜、変形するようにすればよい。また、回動連結部材をスライド蝶番とした場合には、各開閉扉１５，１９の各回動支点１４ａ，１８ａが開閉時に移動することとなるが、これらの回動支点１４ａ，１８ａを、平面視において各切欠部１３ｄ，１７ｄが設けられた位置（切欠部位）に概ね位置するように位置付けるようにすればよい。さらには、各開閉扉１５，１９の垂直状の回動支点１４ａ，１８ａとしては、上記のような回動連結部材の支点に限られない。例えば、上記した各切欠部１３ｄ，１７ｄが設けられた位置の天側内壁１３ｆ，１７ｆ及び底側内壁１３ｇ，１７ｇ、並びに各開閉扉１５，１９の一方に、回動支点としてのピン状軸部を設け、他方にこのピン状軸部を回動自在に支持する軸受凹所を設けた態様としてもよい。
さらにまた、図例のように、各開閉扉１５，１９の回動支点１４ａ，１８ａを各収納凹所１３，１７の後側内側壁１３ｃ，１７ｃ側に設けた場合には、これら開閉扉１５，１９が開放された際に、各間仕切パネル２０，３０と干渉しないように適宜のストッパー機構や回動規制構造を設けるようにしてもよい。
【００３７】
また、図例では、各収納凹所１３，１７の天側内壁１３ｆ，１７ｆ及び底側内壁１３ｇ，１７ｇをそれぞれ構成する板材等の端面をそれぞれの収納凹所１３，１７の内側に控えた位置とし、これらの端面を閉状態における各開閉扉１５，１９の戸当状部として、各開閉扉１５，１９の上下端部はアウトセット状に納めた例を示しているが、このような態様に限られない。例えば、これら各収納凹所１３，１７の天側内壁１３ｆ，１７ｆ及び底側内壁１３ｇ，１７ｇの開口縁に上記同様の切欠部を設け、またはこれらに切欠部を設けることなく、閉状態における各開閉扉１５，１９の上下端部もインセット状に納める態様としてもよい。
【００３８】
また、壁体１０は、前後の面材（板材）やこれら前後の板材を固定する枠材、芯材等によって構成するようにしてもよく、その幅方向両側に、これら板材や枠材等によって上記した各収納凹所１３，１７を区画するように設ける態様としてもよい。または、これら収納凹所１３，１７が設けられた部位を別体的に壁本体の幅方向両側に付設するようにして設けて壁体１０を構成する態様としてもよい。また、図例では、戸当り突部１２を左側収納凹所１３の後側内側壁１３ｃを形成する部材と一体的に形成したように図示しているが、これらのそれぞれを別体として上記のような切欠部１３ｄを形成する態様としてもよい。
【００３９】
上記構成とされた本実施形態に係る間仕切装置１によれば、開放させた際における見栄えを向上させることができるとともに、間仕切る際における間仕切パネル２０，３０の操作性を向上させることができる。
つまり、壁体１０の両側の開口部２，３をそれぞれに開閉する二枚の間仕切パネル２０，３０のそれぞれが、両側の開口部２，３を開放させた開位置において壁体１０と厚さ方向で重合する構成とされている。従って、壁体１０の前面１０ａ側から壁体１０に対面した状態では、二枚の間仕切パネル２０，３０が壁体１０に隠れた状態となり、これら両側の開口部２，３を開放させた際における見栄えを向上させることができる。
【００４０】
また、これら二枚の間仕切パネル２０，３０は、壁体１０の後面１０ｂに沿うように、かつ壁体１０の幅方向に沿って移動自在に引き違い状に配設される構成とされている。従って、壁体１０の後面１０ｂ側から比較的に容易にこれら間仕切パネル２０，３０を操作することができ、間仕切る際における間仕切パネル２０，３０の操作性を向上させることができる。また、これら二枚の間仕切パネル２０，３０は、引き違い状に配設される構成とされているので、例えば、引き分け状に配設されるものと比べて、壁体１０の幅寸法を効率的に小さくすることができるとともに両側の開口部２，３の開口幅寸法を効率的に大きくすることができる。
【００４１】
また、本実施形態では、二枚の間仕切パネル２０，３０のそれぞれの戸先端部に、両間仕切パネル２０，３０が開位置において手掛操作可能となる位置に位置付けられる凹状の手掛部２２，３２をそれぞれに設けている。従って、これら凹状の手掛部２２，３２に手指を掛けて操作ができるので、間仕切る際における各間仕切パネル２０，３０の操作性をより向上させることができる。なお、本実施形態では、各間仕切パネル２０，３０のそれぞれの戸先端部の厚さ方向両側に、凹状の手掛部２２，２２，３２，３２を設けた例を示しているが、少なくとも後方側に向けて開口した凹状の手掛部を設けるようにしてもよい。
【００４２】
さらに、本実施形態では、両間仕切パネル２０，３０が開位置において、手掛部２２，３２が設けられた部位（戸先端部）を除いて壁体１０の厚さ方向で互いに概ね重合する構成とされている。また、両間仕切パネル２０，３０が開位置において、それぞれの戸先端面２１，３１が壁体１０の両側端面１０ｃ，１０ｄのそれぞれに幅方向において概ね一致するように位置付けられる構成とされている。従って、壁体１０の後面１０ｂ側から容易にこれら間仕切パネル２０，３０の操作が可能でありながらも、壁体１０の後面１０ｂ側において壁体１０に対面した状態では、間仕切パネル２０，３０によって煩雑な印象を与えるようなことが低減され、すっきりとした印象を与えることができ、開放させた際における後面側の見栄えを向上させることができる。
【００４３】
さらにまた、本実施形態では、これら間仕切パネル２０，３０のそれぞれの高さ寸法を、略床面８から略天井面７までの高さ寸法としている。従って、これら間仕切パネル２０，３０を開位置とすれば、壁状の外観を呈することができ、開放させた際における後面側の見栄えをより向上させることができる。また、このような構成によれば、これら間仕切パネル２０，３０を開位置とすれば、略床面８から略天井面７までの高さ寸法とされた各開口部２，３が大きく開放されるとともに、これら間仕切パネル２０，３０が壁状となり目立ち難くなることから、開閉建具のない無目枠仕上げ状のすっきりとした印象を与えることができる。
また、このような構成によれば、これら間仕切パネル２０，３０を閉位置とした場合にも壁状の外観を呈することができ、閉鎖させた際における前面側の見栄えをより向上させることができる。
【００４４】
また、本実施形態では、壁体１０の両側端部１１，１６に、幅方向に向けてそれぞれに開口する収納凹所１３，１７を設けている。従って、これら両側の収納凹所１３，１７を用いて物品等を収納することができる。また、これら両側の収納凹所１３，１７は、壁体１０の両側端部１１，１６において幅方向に向けて開口しているので、壁体１０の前面１０ａ側及び後面１０ｂ側から壁体１０に対面した状態では、目立ち難く、壁体１０としての外観を損ない難い。
さらに、本実施形態では、これら両側の収納凹所１３，１７をそれぞれに開閉する開閉扉１５，１９を設けているので、これら開閉扉１５，１９を閉鎖させることで、これら収納凹所１３，１７をより目立ち難くすることができる。
【００４５】
さらにまた、本実施形態では、壁体１０の左側端部１１に戸当り突部１２を設けているので、壁体側間仕切パネル３０の反閉鎖方向側への移動を規制することができ、使い勝手を向上させることができる。また、この戸当り突部１２が設けられた側の左側収納凹所１３の後側内側壁１３ｃの開口縁に、切欠部１３ｄを設け、この切欠部１３ｄが設けられた位置に、左側開閉扉１５の垂直状の回動支点１４ａを概ね位置させている。従って、上述のように、戸当り突部１２を含んで回動支点１４ａが概ね位置付けられる切欠部１３ｄを形成する形成代とすることができ、左側収納凹所１３を比較的に大きく開放させることができる。
【００４６】
また、本実施形態では、両側の収納凹所１３，１７をそれぞれに開閉する各開閉扉１５，１９は、上述のように、閉状態において各側端部１５ａ，１５ｂ，１９ａ，１９ｂが各収納凹所１３，１７の切欠部１３ｂ，１３ｄ，１７ｂ，１７ｄに受け入れられ、インセット状に納められる構成とされている。従って、壁体１０の前面１０ａ側及び後面１０ｂ側において壁体１０に対面した状態では、これら開閉扉１５，１９が目立ち難くなる。従って、例えば、これら開閉扉１５，１９が閉状態においてそれぞれの両側端部１５ａ，１５ｂ，１９ａ，１９ｂがアウトセット状に納められるものと比べて、見栄えをより向上させることができる。また、各収納凹所１３，１７の切欠部１３ｂ，１３ｄ，１７ｂ，１７ｄは、各開閉扉１５，１９の各側端部１５ａ，１５ｂ，１９ａ，１９ｂの戸当状部を形成するように設けられている。従って、各開閉扉１５，１９を閉状態とすれば、各開閉扉１５，１９の両側端面と各収納凹所１３，１７の前後両側の内側壁との隙間から収納凹所１３，１７内が見えるようなことを防止でき、見栄えを向上させることができる、
また、左側収納凹所１３の左側開閉扉１５の吊元側端部１５ｂの切欠部１３ｄを、戸当り突部１２を利用して設けることができるので、左側収納凹所１３の幅寸法を、戸当り突部１２が設けられていない側の右側収納凹所１７の幅寸法よりも効率的に大きくすることができる。
【００４７】
なお、本実施形態では、壁体１０の前面１０ａ及び後面１０ｂをフラットな略平坦面とした例を示しているが、手前側及び後方側の少なくともいずれか一方に向けて開口する凹所や収納部等をこの壁体１０に設けるようにしてもよい。
また、本実施形態では、各間仕切パネル２０，３０を案内支持する上レール２６，３６を下向きに開口し、両側板部に、各ランナー部材２４，３４の転動部を転動自在に支持する案内片を連成したものとしているが、このような態様に限られない。例えば、上レールは、ランナー部材の形状や構造に応じて、略Ｌ字状とされたものや、横向きに開口した略コ字状（略倒Ｕ字状）とされたものとしてもよい。
さらに、本実施形態では、各間仕切パネル２０，３０を上吊り構造とした例を示しているが、このような態様に限られず、下荷重構造としてもよい。この場合は、各間仕切パネル２０，３０の上端部に、ランナー部材に代えて、上レール等に係合する案内片やピボット等を設けるようにしてもよい。また、この場合は、各間仕切パネル２０，３０の下端部に戸車を設け、この戸車をガイドする下レール等を床面８に敷設乃至は床に埋設するようにしてもよい。
【００４８】
さらにまた、本実施形態では、両間仕切パネル２０，３０が開位置において、それぞれの戸先端面２１，３１が壁体１０の両側端面１０ｃ，１０ｄのそれぞれに幅方向において概ね一致するように位置付けられる構成とした例を示しているが、このような態様に限られない。例えば、各間仕切パネル２０，３０が開位置において、それぞれの戸先端面２１，３１が壁体１０の各側端面１０ｃ，１０ｄよりも僅かに壁体１０の幅方向中心側に寄った位置に位置付けられる態様としてもよい。または、各間仕切パネル２０，３０が開位置において、それぞれの戸先端面２１，３１が壁体１０の各側端面１０ｃ，１０ｄよりも壁体１０の幅方向外方側に僅かに突出するように位置付けられる態様としてもよい。
また、本実施形態では、両間仕切パネル２０，３０が開位置において、手掛部２２，３２が設けられた部位（戸先端部）を除いて壁体１０の厚さ方向で互いに概ね重合する構成とした例を示しているが、このような態様に限られない。例えば、これら間仕切パネル２０，３０が開位置において壁体１０の厚さ方向で互いに完全に重合する態様としてもよい。
【００４９】
さらに、本実施形態では、各間仕切パネル２０，３０の幅寸法を略同寸法とした例を示しているが、これらが互いに異なる幅寸法とされたものとしてもよい。この場合は、これらによって開閉される開口部２，３の幅寸法も互いに異なる幅寸法としてもよい。
さらにまた、本実施形態では、各間仕切パネル２０，３０の戸先端部に手掛部２２，３２をそれぞれに設けた例を示しているが、このような手掛部２２，３２を設けないようにしてもよい。このような場合にもこれらは壁体１０の後面１０ｂに沿うように引き違い状に配設されるため、例えば、戸尻端面２３，３３等に手指を掛けるなどすることで、壁体１０の後面１０ｂ側から比較的に容易にこれら間仕切パネル２０，３０を操作することは可能となる。
【００５０】
また、本実施形態では、壁体１０の幅方向両側の各収納凹所１３，１７を、当該壁体１０の高さ方向の略全体に亘って設けた例を示しているが、これら収納凹所１３，１７を、壁体１０の高さ方向途中部位のみに設けたり、上下方向に複数箇所に分割して設けたりしてもよい。この場合は、これら収納凹所１３，１７の態様に応じて、各開閉扉１５，１９を適宜、変形すればよい。
さらに、本実施形態では、各収納凹所１３，１７に切欠部１３ｂ，１３ｄ，１７ｂ，１７ｄを設けて、各収納凹所１３，１７を開閉する各開閉扉１５，１９の各側端部１５ａ，１５ｂ，１９ａ，１９ｂをインセット状に納める態様とした例を示しているが、このような態様に限られない。例えば、これら開閉扉１５，１９の各側端部１５ａ，１５ｂ，１９ａ，１９ｂをアウトセット状に納める態様としてもよい。この場合には、これら開閉扉１５，１９の閉状態における外側表面が壁体１０の各側端面をそれぞれ構成することとなる。さらには、このような各収納凹所１３，１７を開閉する開閉扉１５，１９を設けないようにしてもよい。また、壁体１０の幅方向両側に収納凹所１３，１７を設けずに、壁体１０の幅方向両側端面１０ｃ，１０ｄを略平坦面としてもよい。
【００５１】
また、上記した例では、本実施形態に係る間仕切装置１を、建物内空間の居室空間と収納空間とを間仕切るように設置した例を示しているが、このような設置態様に限られない。例えば、本実施形態に係る間仕切装置１を、居室空間とキッチンや洗面等の水廻り空間とを間仕切るように設置するようにしてもよく、その他、多様化する建物内空間の区画態様や趣向等に応じて、種々の箇所に設置することができる。
【符号の説明】
【００５２】
１      間仕切装置
２      左側開口部（開口部）
３      右側開口部（開口部）
１０    壁体
１０ｂ  後面（一方面）
１０ｃ  左側端面（側端面）
１０ｄ  右側端面（側端面）
１１    左側端部（一側端部）
１２    戸当り突部
１３    左側収納凹所（一側端部側収納凹所）
１３ａ  前側内側壁（反戸当り突部側の内側壁）
１３ｂ  切欠部
１３ｃ  後側内側壁（戸当り突部側の内側壁）
１３ｄ  切欠部
１４ａ  蝶番のヒンジピン（一側端部側開閉扉の回動支点）
１５    左側開閉扉（一側端部側開閉扉）
１５ａ  戸先側端部（他側端部）
１５ｂ  吊元側端部（一側端部）
１６    右側端部（他側端部）
１７    右側収納凹所（他側端部側収納凹所）
１７ａ  前側内側壁（内側壁）
１７ｂ  切欠部
１７ｃ  後側内側壁（内側壁）
１７ｄ  切欠部（一方の切欠部）
１８ａ  蝶番のヒンジピン（他側端部側開閉扉の回動支点）
１９    右側開閉扉（他側端部側開閉扉）
１９ａ  戸先側端部（側端部）
１９ｂ  吊元側端部（側端部）
２０    収納側間仕切パネル（間仕切パネル）
２１    戸先端面（閉鎖方向先側端面）
２２    手掛部
３０    壁体側間仕切パネル（壁体側の間仕切パネル）
３１    戸先端面（閉鎖方向先側端面）
３２    手掛部
【図１】
2013108292.tif 000003
【図２】
2013108292.tif 000004
【図３】
2013108292.tif 000005
【図４】
2013108292.tif 000006